(57)【要約】【課題】  同一エリアに複数の表示内容を表示できるようにし、ボタンサイズを大きくすることなく、視認性の向上および明確な情報伝達を可能にした押しボタン装置を提供する。【解決手段】  表示部１２５、反射防止部材１２６、レンズ１２７、およびステム１２５ａが一体化された状態で上下動可能にケース１２０に内嵌され、ケース１２０の背面には、スイッチ１２３と光源１２４を搭載した基板１２２が取り付けられている。光源１２４は、緑色ＬＥＤ３１、赤色ＬＥＤ３２、および青色ＬＥＤ３３を有し、表示部１２５は、光源１２４に対向させてスイッチ１２３の操作部に配設され、光源１２４からの複数の色の光を個別に透過する複数のパターンを同一エリアに有している。【選択図】    図４
2006216262.tif 000002
【特許請求の範囲】
【請求項１】
押下動作をする操作部と、
前記操作部の押下によりオン／オフ動作をするスイッチと、
前記操作部に対向配置して設けられ、複数の色の光を選択的に発光する光源と、
前記操作部に配設され、前記光源からの前記複数の色の光を受けて、前記複数の光を個別に透過する複数のパターンが交差するように設けられた表示部とを備えたことを特徴とする押しボタン装置。
【請求項２】
前記光源は、赤色、緑色、および青色を発光する３種のＬＥＤのうち少なくとも２種を備えたことを特徴とする請求項１記載の押しボタン装置。
【請求項３】
前記表示部は、光透過性の基板と、
前記基板に形成されて前記光源の第１の発光色を透過する第１の光透過パターンと、
前記基板に形成されて前記光源の第２の発光色を透過する第２の光透過パターンと、
前記基板に形成されて前記光源の第３の発光色を透過する第３の光透過パターンとを備え、
前記第１乃至第３の光透過パターンのうち少なくとも２つの前記光透過パターンは、互いに交差する交差部を備えたことを特徴とする請求項１記載の押しボタン装置。
【請求項４】
前記交差部は、交差する前記光透過パターンの光透過色と同一色の光透過特性を有することを特徴とする請求項３記載の押しボタン装置。
【請求項５】
前記交差部は、前記第１乃至第３の光透過パターンの交差部であり、透明を有することを特徴とする請求項３記載の押しボタン装置。
【発明の詳細な説明】
【技術分野】
【０００１】
本発明は、アミューズメント機器、自動販売機等に用いられる押しボタン装置に関し、特に、同一エリアに複数の表示内容を表示できるようにし、ボタンサイズを大きくすることなく、視認性の向上および明確な情報伝達を可能にした押しボタン装置に関する。
【背景技術】
【０００２】
缶ジュース、たばこ等の自動販売機として、商品見本陳列棚に設置された商品見本に対応して正面パネルに設置された商品選択ボタンが、ＬＥＤを光源にして文字表示による“売切”および円状の販売可能表示部を備え、更に、人目を引かせたい特定の商品に対応して複数のＬＥＤを点灯させる発光部を併設した押しボタン装置を備えた自動販売機が知られている（例えば、特許文献１参照。）。
【０００３】
また、表面に数字や図柄が表記された複数のリールを表示窓内に配置し、メダルの投入後にスタートボタンを押すことにより複数のリールを一斉に回転させ、ストップボタンによって前記複数のリールの回転を停止させ、その際の図柄の組合せに基づいてメダルの払い出し数を決定する遊戯機が知られている（例えば、特許文献２参照。）。
【０００４】
また、押しボタンの表面に表現機能を付加する手段として、赤、青等の色により“危険”、“安全”等を表現したり、１つの押しボタンの露出スペース上に“ＳＴＯＰ”、“ＷＡＩＴ”等の複数の内容を異なる場所に表記しておき、点灯を切り替えて選択的に表示することが行われている。
【特許文献１】特開２００４−１５２２５３号公報（［００２４］〜［００３３］、図１、図１０）
【特許文献２】特開２００３−７９８２２号公報（［００３４］〜［００４２］、図１、図３）
【発明の開示】
【発明が解決しようとする課題】
【０００５】
しかし、従来の押しボタン装置によると、赤、青等の色により表現した場合、色のみによる表現のため、情報伝達手段としての明確さに乏しい。また、１つの押しボタン上に複数の文字等を表記する構成は、大きさの限られた押しボタンでは表示エリアが小さいため、表記する文字等が小さくなることは避けられず、視認性が低下する。逆に、視認性を高めようとして押しボタンを大きくすると、押しボタンの占有面積が大きくなるため、適用されるアミューズメント機器や自動販売機のデザイン等に制約が生じる。
【０００６】
従って、本発明の目的は、同一エリアに複数の表示内容を表示できるようにし、ボタンサイズを大きくすることなく、視認性の向上および明確な情報伝達を可能にした押しボタン装置を提供することにある。
【課題を解決するための手段】
【０００７】
本発明は、上記目的を達成するため、押下動作をする操作部と、前記操作部の押下によりオン／オフ動作をするスイッチと、前記操作部に対向配置して設けられ、複数の色の光を選択的に発光する光源と、前記操作部に配設され、前記光源からの前記複数の色の光を受けて、前記複数の光を個別に透過する複数のパターンが交差するように設けられた表示部とを備えた押しボタン装置を提供する。
【０００８】
この構成によれば、表示部は、複数の光を個別に透過する複数のパターンが同一エリア内に設けられ、光源からの光に応じたパターンの表示を行う。
【０００９】
前記光源は、赤色、緑色、および青色を発光する３種のＬＥＤのうち少なくとも２種を備えた構成としてもよい。
【００１０】
前記表示部は、光透過性の基板と、前記基板に形成されて前記光源の第１の発光色を透過する第１の光透過パターンと、前記基板に形成されて前記光源の第２の発光色を透過する第２の光透過パターンと、前記基板に形成されて前記光源の第３の発光色を透過する第３の光透過パターンとを備え、前記第１乃至第３の光透過パターンのうち少なくとも２つの前記光透過パターンは、互いに交差する交差部を備えた構成としてもよい。
【００１１】
前記交差部は、交差する光透過パターンの光透過色と同一色の光透過特性を有することが好ましい。
【００１２】
前記交差部は、前記第１乃至第３の光透過パターンの交差部であり、透明を有する構成としてもよい。
【００１３】
前記光源は、赤色、緑色、および青色を発光するＲＧＢＬＥＤを備えることが好ましい。単一のＬＥＤで赤色、緑色、青色あるいはこれらの混色の光を発光できるので、小型化が図れる。
【００１４】
前記第１，第２，第３の光透過パターンは、文字、数字、記号、またはこれらの組合せからなる。
【００１５】
前記表示部は、表面に反射防止用の部材が設けられていることが好ましい。外光の散乱を抑えられるので、表示が見やすくなる。
【発明の効果】
【００１６】
本発明の押しボタン装置によれば、同一エリアに複数の表示内容を表示できるようにし、ボタンサイズを大きくすることなく、視認性の向上および明確な情報伝達を可能にすることができる。
【発明を実施するための最良の形態】
【００１７】
（表示装置の動作原理）
本発明の押しボタン装置を説明する前に、図１および図２を参照して本発明の押しボタン装置に用いる表示装置の動作原理を説明する。図１において、（ａ）は表示装置の平面図を示し、（ｂ）は（ａ）のＡ−Ａ線に沿う断面図を示す。また、図２は、表示装置が表示する表示パターンの内容を示す。
【００１８】
この表示装置１は、アクリル、ポリカーボネート、ＰＥＴ（ポリエチレンテレフタレート）等による光透過性の基板１０と、この基板１０上に形成されたパターン部２０と、基板１０の下面に配置されて、赤、青、緑の光を選択的に発光するＬＥＤによる光源３０とを備える。なお、基板１０は、フィルムであってもよい。
【００１９】
パターン部２０は、光透過パターンとしての図２の（ａ）〜（ｃ）に示す３種類のパターン、即ち、○パターン２１と、×パターン２２と、△パターン２３とを同一平面上に重ね合わせた形状を有する。○パターン２１は光源３０が緑色を発光したときに、×パターン２２は光源３０が赤色を発光したときに、△パターン２３は光源３０が青色を発光したときにそれぞれ表示される。なお、上記３つのパターンと表示色の組合せは、上記組合せに限定されるものではなく、自由に変更することができる。
【００２０】
光源３０は、緑色ＬＥＤ３１と、赤色ＬＥＤ３２と、青色ＬＥＤ３３とを備え、不図示の駆動回路によって、いずれか１つのＬＥＤが点灯駆動される。
【００２１】
パターン２１〜２３は、必要光を透過し、不必要光を透過しない光フィルタとして機能すると共に、光源３０の発光色に対応した以下のような透過色を有するが、パターン相互の交差部においては、赤、青、緑以外の透過色を有する部材が配置されている。
【００２２】
（１）○パターン２１の単独部分は、緑色パターン２１ａであり、緑のピーク波長を主に透過させ、その他の波長は不透過な特性を有する。
（２）×パターン２２の単独部分は、赤色パターン２２ａであり、赤のピーク波長を主に透過させ、その他の波長は不透過な特性を有する。なお、赤のピーク波長を含み、その波長よりも長い波長の光を主に透過させるものであってもよい。
（３）△パターン２３の単独部分は、青色パターン２３ａであり、青のピーク波長を主に透過させ、その他の波長は不透過な特性を有する。なお、青のピーク波長を含み、青のピーク波長より短い波長の光を主に透過させるものであってもよい。
（４）○パターン２１と×パターン２２の交差部は、黄色パターン２４であり、緑と赤のピーク波長を主に透過させ、その他の波長は不透過な特性を有する。
（５）○パターン２１と△パターン２３の交差部は、青緑色パターン２５であり、青と緑のピーク波長を主に透過させ、その他の波長は不透過な特性を有する。
（６）○パターン２１と△パターン２３の交差部は、紫色パターン２６であり、赤と青のピーク波長を主に透過させ、その他の波長は不透過な特性を有する。
（７）３つのパターン２１，２２，２３の交差部は透明部２７であり、この部分は基板１０が露出している。或いは、この部分に透明部材が貼着される。
（８）上記（１）〜（７）以外の部分は、全ての波長に対して不透過な黒色パターン２８である。
【００２３】
図１において、光源３０の緑色ＬＥＤ３１を発光させると、緑色パターン２１ａ、黄色パターン２４、青緑色パターン２５、および透明部２７を緑色光が透過し、○パターン２１の表示が行われる。このとき、×パターン２２の赤色パターン２２ａ、△パターン２３の青色パターン２３ａ、および紫色パターン２６は、緑色光が透過しないので、×パターン２２および△パターン２３は表示されない。
【００２４】
次に、赤色ＬＥＤ３２を発光させると、赤色パターン２２ａ、黄色パターン２４、紫色パターン２６、および透明部２７を赤色光が透過し、×パターン２２の表示が行われる。このとき、緑色パターン２１ａ、青色パターン２３ａ、および青緑色パターン２５は、赤色光が透過しないので、○パターン２１および△パターン２３は表示されない。
【００２５】
次に、青色ＬＥＤ３３を発光させると、青色パターン２３ａ、青緑色パターン２５、紫色パターン２６、および透明部２７を青色光が透過し、△パターン２３の表示が行われる。このとき、緑色パターン２１ａおよび赤色パターン２２ａは、青色光が透過しないので、○パターン２１および×パターン２２は表示されない。
【００２６】
以上のように、図１に示した表示装置１によれば、複数の発光色を備える光源３０と、それぞれの発光色に対応したパターン２１，２２，２３を有するパターン部２０との組合せにより、１つの表示スペースに複数の内容を表示することができる。
【００２７】
［第１の実施の形態］
（遊戯機の構成）
図３は、本発明の第１の実施の形態に係る遊戯機を示す。この遊戯機１００は、全体を制御するための図示しない制御装置、回転駆動機構等が設置されている筐体２と、筐体２の前面に開閉可能に設けられた扉３と、扉３の上部に設けられた表示窓４と、回転可能に表示窓４内に配置された３つのリール５Ａ，５Ｂ，５Ｃと、表示窓４の下側に設置された表示部６と、遊戯に供するメダルを投入するためのメダル投入ロ７と、表示窓４の上側に設置された液晶表示装置８と、表示部６の近傍に設置された投入スイッチ９と、投入スイッチ９の下側に設置されたＣ／Ｐスイッチ（クレジット／精算切り替えスイッチ）１１と、リール５Ａ，５Ｂ，５Ｃの回転を開始させるためのスタートボタン１２と、３つのリール５Ａ〜５Ｃに個別に対応して各リールの回転を停止させるための押しボタンとしての３つのストップボタン１３Ａ，１３Ｂ，１３Ｃと、払い出されたメダルを受け入れるメダル受皿１４と、メダル受皿１４にメダルを払い出すためのメダル払出口１５とを備える。そして、ストップボタン１３Ａ〜１３Ｃにより、押しボタン装置１８が構成される。
【００２８】
表示窓４は、扉３にガラス板を装着して構成され、その周辺には、有効となる入賞ラインを表示するための有効ライン表示１６が、水平方向および斜め方向に施されている。
【００２９】
リール５Ａ〜５Ｃは、回転ドラムであり、その外周表面に複数の図柄が所定の間隔で描かれており、リールを回転させることにより、図柄は可変表示される。この図柄は、例えば、「７」等の数字、「ＢＡＲ」等の文字による図柄や、プラム、チェリー等の絵柄を示す図柄等である。
【００３０】
表示部６は、例えば、７セグメント表示器や液晶表示装置等により構成されており、貯蓄（クレジット）されたメダル数や、停止表示させた図柄の組合せと入賞態様となる図柄の組合せとが合致した際に払い出されるメダル数等を表示する。
【００３１】
液晶表示装置８は、チャンスゲームの開始に関する情報、入賞態様となる図柄の組合せで図柄が停止することが許可された場合に、許可された入賞態様となる図柄の組合せに関する情報を表示し、或いは、これらの図柄を停止させるタイミング等の情報を表示する表示器である。
【００３２】
投入スイッチ９は、遊戯機１００内に貯蓄（クレジット）されたメダルを遊戯に供する際に使用されるスイッチである。また、Ｃ／Ｐスイッチ１１は、遊戯機１００内に貯蓄するか、払い出すかを切り替えるためのスイッチである。
【００３３】
図４は、図３に示したストップボタンの詳細構成を示す。ストップボタン１３Ａ〜１３Ｃは、同一構成であるので、ここでは、ストップボタン１３Ａについてのみ説明する。
【００３４】
図４の（ａ）は、ストップボタン１３Ａ，１３Ｂの正面図であり、（ｂ）は（ａ）のＢ−Ｂ線に沿う断面図である。取付板１７に取り付けられたストップボタン１３Ａは、図４の（ｂ）に示すように、樹脂等による円筒状のケース１２０と、ケース１２０の後端に装着された蓋１２１と、蓋１２１の内面に装着された円板状の基板１２２と、基板１２２の表面の中央に設置されたスイッチ１２３と、基板１２２の表面に取り付けられた複数のＬＥＤよりなる光源１２４と、図１で説明したような複数の異なる透過パターンが同一エリアに形成されてケース１２０の前部に取り付けられた表示部１２５と、ケース１２０の表面に設けられた反射防止部材１２６と、反射防止部材１２６の表面に設けられ、表示部１２５に表示されるパターンを拡大するレンズ１２７と、表示部１２５の後端とケース１２０の内周面との間に介在するように設置されたゴム等によるシール部材１２８とを備える。
【００３５】
ケース１２０は、取付板１７に嵌入され、抜け落ちを防止するための鍔部１２０ａおよび突起１２０ｂを有している。表示部１２５、反射防止部材１２６、およびレンズ１２７は一体化されて操作部１３０を形成しており、表示部１２５の内側の中心にはステム１２５ａが設けられており、レンズ１２７の表面を押下したときにステム１２５ａの先端がスイッチ１２３の可動部を押すことによりスイッチ動作をする押下式のスイッチを構成している。
【００３６】
図４の（ｃ）に示すように、基板１２２の表面には、スイッチ１２３の周囲に緑色ＬＥＤ３１と、赤色ＬＥＤ３２と、青色ＬＥＤ３３が光源１２４として配設されている。
【００３７】
図５および図６は、表示部１２５に設けられている全透過パターンおよびその個々の透過パターンを示す。図５は、３つの透過パターンが同一エリアに形成された透過パターンを示し、このパターン部２０は、破線で示す“ＣＨＡＮＣＥ”、１点鎖線で示す“ＷＡＩＴ”および点線で示す“ＳＴＯＰ”を交差するように設けたものである。具体的には、図６の（ａ）に示す“ＷＡＩＴ”を表示する第１の透過パターンとしての透過パターン１２５ｂと、（ｂ）に示す“ＳＴＯＰ”を表示する第２の透過パターンとしての透過パターン１２５ｃと、（ｃ）に示す“ＣＨＡＮＣＥ”を表示する第３の透過パターンとしての透過パターン１２５ｄとを有する。
【００３８】
これらのパターンは、例えば、緑色ＬＥＤ３１を点灯させると“ＷＡＩＴ”が表示され、赤色ＬＥＤ３２を点灯させると“ＳＴＯＰ”が表示され、青色ＬＥＤ３３を点灯させると“ＣＨＡＮＣＥ”が表示されるようになっている。
【００３９】
（遊戯機の動作）
次に、遊戯機１００の動作を説明する。まず、プレーヤは、メダル投入口７から所定のメダルを投入する。次に、投入スイッチ９を操作した後、スタートボタン１２を押すと、筐体２内の図示せぬ制御装置および回転駆動機構が動作し、リール５Ａ〜５Ｃが一斉に回転を開始する。プレーヤは、表示窓４や液晶表示装置８を見ながら、ストップボタン１３Ａ〜１３Ｃを押すタイミングを判断し、ストップボタン１３Ａ〜１３Ｃを適宜に押下する。ストップボタン１３Ａ〜１３Ｃが押されると、制御装置は、押されたストップボタンに対応するリール５の回転を直ちに又は所定のスベリをもたせてストップさせる。
【００４０】
ストップボタン１３Ａ〜１３Ｃを押下するに際しては、レンズ１２７を通して表示部１２５に図６に示すいずれかの表示がなされているので、プレーヤはこの表示を参考にしてストップボタン１３Ａ〜１３Ｃを押下するタイミングを判断する。ストップボタン１３Ａ〜１３Ｃの押下に伴ってリール５Ａ〜５Ｃが停止すると、その停止状況から、制御装置は得点を計算してゲームを進行し或いは終了させる。
【００４１】
（第１の実施の形態の効果）
第１の実施の形態によれば、下記の効果を奏する。
（イ）同一エリアに複数のパターンによる表現が可能になるので、各表示パターンの表示を小さくすることなく、表示スペースを最小にすることができる。
（ロ）発光色に応じて表示内容のイメージを表現することができる。
（ハ）表示部１２５に反射防止部材１２６を設けたことにより、視認性を向上させることができる。
（ニ）従来、例えば、○、×を表現するのに押しボタンを２個必要としたが、本実施の形態では１個分で済むため、押しボタンの使用数を減らすことができる。
（ホ）押し順を必要とする複数の押しボタンに対しては、表示部１２５にガイドを表示することができるため、操作ガイド用のシール等を不要にすることができる。
【００４２】
［第２の実施の形態］
図７は、本発明の第２の実施の形態に係る押しボタン装置を示す。本実施の形態は、第１の実施の形態の図４の（ｃ）において、光源１２４を単色発光型のＬＥＤ３１〜３３に代えて、ＲＧＢＬＥＤ４１，４２を用いたものであり、その他の構成は第１の実施の形態と同様である。ここでは、ストップボタン１３Ａについてのみ示したが、ストップボタン１３Ｂ，１３Ｃも同様の構成である。なお、ＲＧＢＬＥＤの使用数は、２個に限定されるものではなく、ストップボタン１３のサイズに応じて増減することかできる。
【００４３】
（第２の実施の形態の効果）
第２の実施の形態によれば、光源１２４にＲＧＢＬＥＤを使用することにより、ストップボタン１３の一個当たりのＬＥＤ使用数を減らすことができる。また、ＬＥＤ使用数を減らせることにより、ストップボタン１３の小型化を図ることもできる。
【００４４】
［第３の実施の形態］
図８は、本発明の第３の実施の形態に係る自動販売機を示す。この自動販売機２００は、筐体としての販売機本体５１と、販売機本体５１の正面に取り付けられた前面扉５２と、商品見本４５を有し価格や冷温状態等を表示する表示部６０と、購入したい商品を指定するための押しボタン装置５４Ａ，５４Ｂ，５５Ｃと、釣り銭の返却またはキャンセルを行う際に操作される硬貨返却レバー５５と、硬貨が投入される硬貨挿入口５６と、紙幣が挿入される紙幣挿入口５７と、硬貨が戻される硬貨返却口５８と、押しボタン装置５４Ａ〜５４Ｃの内のいずれかの押しボタンの押下により指定した商品が投下される商品取出口５９とを備える。
【００４５】
販売機本体５１は、販売する商品、制御装置、商品払出機構、入金装置、釣り銭払い出し機構等を内蔵している。
【００４６】
前面扉５２は、販売機本体５１の前面に開閉自在に蝶着されており、商品の搬入、代金の回収、メンテナンス等の際に開閉される。
【００４７】
押しボタン装置５４Ａ，５４Ｂ，５４Ｃは、商品見本に対応して購買者が外部から操作することができる複数の押しボタンよりなる押しボタン部６１を備える。
【００４８】
表示部６０は、商品見本陳列棚５３Ａ〜５３Ｃの販売可能な実際の商品と同一品またはダミーによる商品見本４５に対応して商品見本４５の下方に商品ごとに割り当てられており、上段に配設されて“￥１００”、“￥１１０”等の商品価格を表示する商品表示部６２と、下段に配設されて販売の可否、“ＨＯＴ”、“ＣＯＬＤ”、“新商品”等の商品の販売形態をユーザに認知してもらうための状態表示部６３とを有している。
【００４９】
図９は、押しボタン部６１の詳細を示し、同図中、（ａ）は正面図、（ｂ）は（ａ）のＣ−Ｃ線に沿う断面図、（ｃ）は光源搭載部の詳細を示す。また、図１０は、押しボタン部６１の押しボタンに表示される表示内容を示す。
【００５０】
押しボタン部６１は、（ａ）に示すように、楕円型の複数の押しボタン６１１と、この押しボタン６１１が所定間隔に取り付けられた取付板６１２とを有する。
【００５１】
押しボタン６１１は、その操作面が、図１０に示す“販売中”、“売切”、“準備中”の何れかの文字が光源の発光色に応じて表示されるように構成されており、操作面を押すことにより、内蔵のスイッチが動作する。
【００５２】
押しボタン６１１の断面形状は、本実施の形態による図９の（ｂ）と、図４の（ｂ）のストップボタンを比べて明らかなように、同じであり、横方向の長さ、基板１２２の外形、表示内容のみが異なる。従って、ここでは、同じ部材には同じ引用数字を付して重複する説明を省略する。
【００５３】
（表示内容の変更）
次に、この自動販売機における押しボタン６１１の操作部１２５の表示内容の変更作業について説明する。販売価格の改定の作業は、図示しない制御部の制御により光源１２４の対応するＬＥＤを点灯することにより行われる。
【００５４】
まず、販売商品の価格の変更は、変更後の価格データに基づいて制御部により一括して行われ、例えば、“￥１００”から“￥１２０”のように変更される。“ＨＯＴ”および“ＣＯＬＤ”間の変更は、冷却、加熱ユニットに設けられた冷却／加熱切替スイッチに連動して制御部が所定の商品の商品収納庫の冷却／加熱の切替えを行うとともに表示部１２５の表示の切替えを行う。販売状態から“売切”への変更は、商品収納庫に設けられた売切れセンサの信号に基づいて制御部からの制御信号に従って“売切”表示が行われる。“新発売”表示は、サービス員の操作に基づく制御部の制御より行われる。
【００５５】
（自動販売機の動作）
図８〜図１０を参照して、以下に自動販売機２００の動作について説明する。自動販売機２００の制御装置には、予め、商品ごとに価格と販売形態を示す表示の設定、即ち、光源１２４のどのＬＥＤを点灯するかの設定が、予め管理者等によって行われている。このため、押しボタン装置５４Ａ〜５４Ｃの押しボタン部６１には、図１０に示すように、販売中の商品の在庫状態に応じて文字が表示されている。
【００５６】
ユーザは、商品見本陳列棚５３Ａ，５３Ｂ，５３Ｃの中から買いたい商品を選び、その商品に対応する押しボタン６１１に“販売中”が表示されていれば、その商品の価格または価格以上の金額を紙幣挿入口５７に挿入しまたは硬貨挿入口５６から投入する。その入金額は、図示しない料金表示部に表示される。
【００５７】
次に、その商品に対応する押しボタン６１１を押すと、制御装置は入金額はが商品価格以上であれば、商品払出機構等を動作させ、指定の商品を商品取出口５９に投下させる。このとき、釣り銭が発生していれば、硬貨返却口５８に返却させる。
【００５８】
（第３の実施の形態の効果）
第３の実施の形態によれば、下記の効果を奏する。
（イ）同一エリアに複数のパターンによる表現が可能になるので、各表示パターンの表示を小さくせずに済ますことができると共に、表示スペースを最小にすることができる。
（ロ）発光色に応じて表示内容のイメージを表現することができる。
（ハ）表示部１２５に反射防止用の部材を設けたことにより、視認性を向上させることができる。
（ニ）表示内容の切り替えを自動販売機２００の内部設定に同期させることができるほか、遠隔操作が可能になるため、表示内容の変更を押しボタン側で行わずに済ますことができる。
（ホ）商品見本の配置に関係なく表示内容の切り替えができるため、同じ飲料において、冷飲料、温飲料を隣同士に配置することができる。
【００５９】
［第４の実施の形態］
図１１は、本発明の第４の実施の形態に係る押しボタン装置を示す。本実施の形態は、第３の実施の形態の図９の（ｃ）において、光源１２４を単色発光型のＬＥＤ３１〜３３に代えて、ＲＧＢＬＥＤ４１，４２を用いたものであり、その他の構成は第３の実施の形態と同様である。なお、ＲＧＢＬＥＤの使用数は、２個に限定されるものではなく、押しボタン６１１のサイズ等に応じて増減することかできる。
【００６０】
（第４の実施の形態の効果）
第４の実施の形態によれば、光源１２４にＲＧＢＬＥＤを使用することにより、押しボタン６１１の一個当たりのＬＥＤ使用数を減らすことができる。また、ＬＥＤ使用数を減らせることにより、押しボタン６１１の小型化を図ることもできる。
【００６１】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００６２】
前記各実施の形態において、表示部１２５は、３種類の表示を行う組合せにしたが、２種類または４種類以上であってもよい。この場合、光源１２４は、２種類または４種類以上の色の光を発光する構成にする。
【００６３】
なお、本発明は、スイッチ装置に限らず、自動販売機、ゲーム機の表示装置に適用してもよい。例えば、自動販売機において価格表示部あるいは状態表示部に複数の色の光を個別に透過する複数のパターンを交差するように設け、光源からの光に応じて選択的にパターン表示を行う構成とすることにより、価格のシールを張り替えることなく表示内容を変更することができるので、変更作業を軽減することができる。
【図面の簡単な説明】
【００６４】
【図１】本発明の表示装置の動作原理を示し、（ａ）は表示装置の平面図を示し、（ｂ）は（ａ）のＡ−Ａ線に沿う断面図を示す。
【図２】図１の表示装置のパターン部に表示する表示パターンの内容を示すパターン図である。
【図３】本発明の第１の実施の形態に係る遊戯機を示す正面図である。
【図４】図３に示したストップボタンの詳細構成を示し、（ａ）は正面図、（ｂ）は（ａ）のＢ−Ｂ線に沿う断面図、（ｃ）は光源搭載部を示す正面図である。
【図５】図４の表示部の同一エリアに設けられている透過パターンの全てを示したパターン図である。
【図６】図５の透過パターンを個別に示し、（ａ）は“ＷＡＩＴ”を表示する透過パターン図、（ｂ）は“ＳＴＯＰ”を表示する透過パターン図、（ｃ）は“ＣＨＡＮＣＥ” を表示する透過パターン図である。
【図７】本発明の第２の実施の形態に係る押しボタン装置の光源搭載部を示す正面図である。
【図８】本発明の第３の実施の形態に係る自動販売機を示す正面図である。
【図９】押しボタン部の詳細を示し、（ａ）は正面図、（ｂ）は（ａ）のＣ−Ｃ線に沿う断面図、（ｃ）は光源搭載部の詳細を示す正面図である。
【図１０】図９の押しボタンに表示される表示内容を示し、（ａ）は“販売中”の表示図、（ｂ）は“売切”の表示図、（ｃ）は“準備中”の表示図である。
【図１１】本発明の第４の実施の形態に係る押しボタン装置の光源搭載部を示す正面図である。
【符号の説明】
【００６５】
１  表示装置
２  筐体
３  扉
４  表示窓
４Ａ，４Ｂ，４Ｃ  商品見本陳列棚
５Ａ，５Ｂ，５Ｃ  リール
６  表示部
７  メダル投入ロ
８  液晶表示装置
９  投入スイッチ
１１  Ｃ／Ｐスイッチ
１０  基板
１２  スタートボタン
１３Ａ，１３Ｂ，１３Ｃ  ストップボタン
１４  メダル受皿
１５  メダル払出口
１６  有効ライン表示
１７  取付板
１８  押しボタン装置
２０  パターン部
２１  ○パターン
２１ａ  緑色パターン
２２  ×パターン
２２ａ  赤色パターン
２３  △パターン
２３ａ  青色パターン
２４  黄色パターン
２５  青緑色パターン
２６  紫色パターン
２７  透明部
２８  黒色パターン
３０  光源
３１  緑色ＬＥＤ
３２  赤色ＬＥＤ
３３  青色ＬＥＤ
４１，４２  ＲＧＢＬＥＤ
４５  商品見本
５１  販売機本体
５２  前面扉
５３Ａ，５３Ｂ，５３Ｃ  商品見本陳列棚
５４Ａ，５４Ｂ，５５Ｃ  押しボタン装置
５５  硬貨返却レバー
５６  硬貨挿入口
５７  紙幣挿入口
５８  硬貨返却口
５９  商品取出口
６１  押しボタン部
６２  価格表示部
６３  状態表示部
１００  遊戯機
１２０  ケース
１２０ａ  鍔部
１２０ｂ  突起
１２１  蓋
１２２  基板
１２３  スイッチ
１２４  光源
１２５  表示部
１２５ａ  ステム
１２５ｂ，１２５ｃ，１２５ｄ  透過パターン
１２６  反射防止部材
１２７  レンズ
１２８  シール部材
２００  自動販売機
６１１  押しボタン
６１２  取付板
【図１】
2006216262.tif 000003
【図２】
2006216262.tif 000004
【図３】
2006216262.tif 000005
【図４】
2006216262.tif 000006
【図５】
2006216262.tif 000007
【図６】
2006216262.tif 000008
【図７】
2006216262.tif 000009
【図８】
2006216262.tif 000010
【図９】
2006216262.tif 000011
【図１０】
2006216262.tif 000012
【図１１】
2006216262.tif 000013